(57)【要約】【課題】  新生児や、首、腰の座らない時期の乳児を寝かしたいわゆる横抱き状態で保持することができる子守帯を提供する。【解決手段】  子守帯は、使用者装着部材２００と横抱き状態の赤ちゃん保持部材１００とを備える。赤ちゃん保持部材１００は、背中部保持部材１１８と、この背中部保持部材の上端部の左右側部から側方に張り出すヘッドサポート１２０、１２１と、股間部保持部材１１０と、腹部保持部材１１３とを含む。ヘッドサポート１２０、１２１の両端部は、横抱き上部連結手段を介して使用者装着部材２００に着脱可能に連結され、股間部保持部材１１０は、横抱き下部連結手段を介して使用者装着部材に着脱可能に連結される。【選択図】      図１
2004181268.tif 000002
【特許請求の範囲】
【請求項１】
赤ちゃんを抱っこする使用者が装着するものであり、赤ちゃんを保持する赤ちゃん保持部材を着脱可能に取り付けることができる子守帯の使用者装着部材であって、
横抱き状態の赤ちゃん保持部材を連結するための使用者側第１連結手段と、
前面縦抱き状態の赤ちゃん保持部材を連結するための使用者側第２連結手段と、
背面縦抱き状態の赤ちゃん保持部材を連結するための使用者側第３連結手段とを備える、子守帯の使用者装着部材。
【請求項２】
使用者の身体に当てられる使用者用パッド部材と、
前記使用者用パッド部材を使用者に装着するため、前記使用者用パッド部材の上端部から突出して延びる肩ベルトとをさらに備える、請求項１に記載の子守帯の使用者装着部材。
【請求項３】
使用者の腰に装着される腰ベルトをさらに備える、請求項１または２に記載の子守帯の使用者装着部材。
【請求項４】
前記腰ベルトは、前記使用者用パッド部材を腰ベルトに対して上下方向に移動可能なように案内するための案内手段を備える、請求項３に記載の子守帯の使用者装着部材。
【請求項５】
前記案内手段は、前記使用者用パッド部材を上下方向に移動可能なように前記使用者用パッド部材の下端部領域を収容する袋状部分を有する、請求項４に記載の子守帯の使用者装着部材。
【請求項６】
前記使用者用パッド部材と前記腰ベルトとの間に、両者を連結するための連結手段が設けられる、請求項４または５に記載の子守帯の使用者装着部材。
【請求項７】
赤ちゃんを抱っこする使用者が装着するものであり、赤ちゃんを保持する赤ちゃん保持部材を着脱可能に取り付けることができる子守帯の使用者装着部材であって、
使用者の身体に当てられる使用者用パッド部材と、
前記使用者用パッド部材を使用者に装着するため、前記使用者用パッド部材の上端部から突出して延びる肩ベルトと、
使用者の腰に装着される腰ベルトとをさらに備え、
前記腰ベルトは、前記使用者用パッド部材を腰ベルトに対して上下方向に移動可能なように案内するための案内手段を備える、子守帯の使用者装着部材。
【請求項８】
前記案内手段は、前記使用者用パッド部材を上下方向に移動可能なように前記使用者用パッド部材の下端部領域を収容する袋状部分を有する、請求項７に記載の子守帯の使用者装着部材。
【請求項９】
使用者が赤ちゃんを抱っこするために用いる子守帯であって、
使用者に装着される使用者装着部材と、
前記使用者装着部材に対して着脱可能に設けられ、前記使用者装着部材と共に赤ちゃんを横抱き状態で保持するための赤ちゃん保持部材とを備え、
前記赤ちゃん保持部材は、赤ちゃんの背中部分を支える背中部保持部材と、この背中部保持部材の上端部の左右側部から側方に張り出すヘッドサポートと、赤ちゃんの股間部を支える股間部保持部材と、赤ちゃんの腹部に当てられる腹部保持部材とを含み、
前記ヘッドサポートの両端部は、横抱き上部連結手段を介して前記使用者装着部材に着脱可能に連結され、
前記股間部保持部材は、横抱き下部連結手段を介して前記使用者装着部材に着脱可能に連結される、子守帯。
【請求項１０】
前記赤ちゃん保持部材は、前記股間部保持部材上を延びるベルトを含み、
前記ベルトの先端が前記横抱き下部連結手段を介して前記使用者装着部材に着脱可能に連結される、請求項９に記載の子守帯。
【請求項１１】
前記股間部保持部材の外面にループが形成されており、
前記ベルトは前記ループを通過して延びている、請求項１０に記載の子守帯。
【発明の詳細な説明】
【技術分野】
【０００１】
この発明は、育児に用いられる子守帯の構造に関する。
【背景技術】
【０００２】
従来の子守帯において、赤ちゃんを前面側と背面側とに乗せ変え可能な構造を有するものとして、特開平９−１２１９８７号公報に開示される子守帯を挙げることができる。この子守帯は、使用者に装着され、ベルト部材からなる支持手段に幼児収容体を着脱可能に取付けることを特徴としている。
【特許文献１】特開平９−１２１９８７号公報
【発明の開示】
【発明が解決しようとする課題】
【０００３】
しかし、上記子守帯の構造においては、使用者に装着される支持手段が、ベルト部材のみからなるために、幼児収容体に収容される赤ちゃんの体重が局所的に加わることになり、使用者への負担が大きい問題が挙げられる。
【０００４】
また、幼児の頭部領域が保護されていないため、特に使用者の背面側で赤ちゃんを保持する場合には、赤ちゃんの頭部の保護が十分でない問題が挙げられる。
【０００５】
また、赤ちゃんを前面側と背面側とに乗せ変える場合のいずれにおいても、赤ちゃんを縦抱きの状態で保持することを前提としており、新生児や、首、腰の座らない時期の乳児を寝かした状態で保持することができない。
【０００６】
したがって、この発明の目的は、上記問題点を解決するためになされたものであり、新生児や、首、腰の座らない時期の乳児を寝かした状態で保持することのできる、いわゆる横抱きを可能とする子守帯の使用者装着部材を提供することである。
【０００７】
この発明の他の目的は、前面荷重、背面荷重において、バランス良く荷重を受けることにより、使用者への負担の軽減を図る構造を有する子守帯の使用者装着部材を提供することである。
【０００８】
この発明のさらに他の目的は、赤ちゃんを横抱き状態で安定して保持することのできる子守帯を提供することである。
【課題を解決するための手段】
【０００９】
一つの局面において、この発明は、赤ちゃんを抱っこする使用者が装着するものであり、赤ちゃんを保持する赤ちゃん保持部材を着脱可能に取り付けることができる子守帯の使用者装着部材であって、横抱き状態の赤ちゃん保持部材を連結するための使用者側第１連結手段と、前面縦抱き状態の赤ちゃん保持部材を連結するための使用者側第２連結手段と、背面縦抱き状態の赤ちゃん保持部材を連結するための使用者側第３連結手段とを備える。
【００１０】
使用者用装着部材は、好ましくは、使用者の身体に当てられる使用者用パッド部材と、使用者用パッド部材を使用者に装着するため、使用者用パッド部材の上端部から突出して延びる肩ベルトとをさらに備える。
【００１１】
使用者用装着部材は、好ましくは、使用者の腰に装着される腰ベルトをさらに備える。腰ベルトは、好ましくは、使用者用パッド部材を腰ベルトに対して上下方向に移動可能なように案内するための案内手段を備える。案内手段は、例えば、使用者用パッド部材を上下方向に移動可能なように使用者用パッド部材の下端部領域を収容する袋状部分を有する。また、使用者用パッド部材と腰ベルトとの間に、両者を連結するための連結手段を設けるようにしてもよい。
【００１２】
他の局面において、使用者用装着部材は、使用者の身体に当てられる使用者用パッド部材と、使用者用パッド部材を使用者に装着するため、前記使用者用パッド部材の上端部から突出して延びる肩ベルトと、使用者の腰に装着される腰ベルトとをさらに備える。腰ベルトは、使用者用パッド部材を腰ベルトに対して上下方向に移動可能なように案内するための案内手段を備える。案内手段は、好ましくは、使用者用パッド部材を上下方向に移動可能なように使用者用パッド部材の下端部領域を収容する袋状部分を有する。
【００１３】
さらに他の局面において、子守帯は、使用者に装着される使用者装着部材と、使用者装着部材に対して着脱可能に設けられ、使用者装着部材と共に赤ちゃんを横抱き状態で保持するための赤ちゃん保持部材とを備える。赤ちゃん保持部材は、赤ちゃんの背中部分を支える背中部保持部材と、この背中部保持部材の上端部の左右側部から側方に張り出すヘッドサポートと、赤ちゃんの股間部を支える股間部保持部材と、赤ちゃんの腹部に当てられる腹部保持部材とを含む。ヘッドサポートの両端部は、横抱き上部連結手段を介して使用者装着部材に着脱可能に連結され、股間部保持部材は、横抱き下部連結手段を介して使用者装着部材に着脱可能に連結される。
【００１４】
赤ちゃん保持部材は、好ましくは、股間部保持部材上を延びるベルトを含む。このベルトの先端が横抱き下部連結手段を介して使用者装着部材に着脱可能に連結される。例えば、股間部保持部材の外面にループが形成されており、上記ベルトはこのループを通過して延びている。
【００１５】
さらに他の局面において、子守帯は、次の特徴を有している。
【００１６】
すなわち、他の局面における子守帯においては、使用者に装着される使用者装着部材と、上記使用者装着部材に対して着脱可能に設けられ、上記使用者装着部材とともに赤ちゃんを保持するための赤ちゃん保持部材とを備え、上記使用者装着部材と上記赤ちゃん保持部材との間には、使用者の前面において、上記赤ちゃん保持部材により、赤ちゃんを寝かせた状態で抱っこするための横抱き状態を可能にするための第１連結手段と、使用者の前面において、上記赤ちゃん保持部材により、赤ちゃんを起こした状態で抱っこするための前面縦抱き状態を可能にするための第２連結手段と、使用者の背面おいて、上記赤ちゃん保持部材により、赤ちゃんを起こした状態で抱っこするための背面縦抱き状態を可能にするための第３連結手段とが設けられる。上記構成を採用することにより、子守帯の使用に際して、横抱き状態、前面縦抱き状態および背面縦抱き状態での使用が可能となるため、子守帯の使用に際して、新生児期からの使用が可能になる。
【００１７】
上記構成において、好ましくは、上記使用者装着部材は、使用者の背中に配置される使用者用背中パッド部材と、上記使用者用背中パッド部材を使用者に装着するため、上記使用者用背中パッド部材の上端部から前方に延びるように設けられる肩ベルトとを備える。かかる構成を採用することにより、赤ちゃんの体重を使用者用背中パッド部材全体で受けることが可能になり、使用者に加わる赤ちゃんの体重を背中全体に分散させることが可能になる。これにより、使用者の疲労感が軽減され、子守帯の使用感覚を改善させることが可能になる。
【００１８】
また、上記構成においてさらに好ましくは、上記使用者用背中パッド部材は芯材を含む。これにより、特に、背面縦抱き状態においては、使用者に加わる赤ちゃんの体重を効果的に背中全体に分散させることが可能になる。
【００１９】
また、上記構成において好ましくは、上記使用者装着部材は、使用者の腰に装着される腰ベルトをさらに備える。これにより、使用者装着部材の使用者への装着をより安定させることができるとともに、赤ちゃんの体重を腰部領域にも分散させることが可能になる。
【００２０】
また、上記構成において好ましくは、上記腰ベルトは、上記使用者用背中パッド部材を上記腰ベルトに対して上下方向に移動可能なように案内するための案内手段を備える。また、好ましくは、上記案内手段は、上記使用者用背中パッド部材を上下方向に移動可能なように上記使用者用背中パッド部材の下端部領域を収容する袋状部分を有する。また、好ましくは、上記使用者用背中パッド部材と上記腰ベルトとの間に、両者を連結するための連結手段が設けられる。この構成により、使用者用背中パッド部材が腰ベルトに対して伸縮することになるため、使用者の体型に応じて、使用者用背中パッド部材の位置を適合させることが可能になる。
【００２１】
また、上記構成において好ましくは、上記肩ベルトは左右１対となるように設けられ、上記赤ちゃん保持部は、赤ちゃんの頭部、上半身部および下半身部を保持する帯状の保持部材を有し、上記第１連結手段は、上記保持部材の左右の上端部近傍を、上記１対の肩ベルトのそれぞれに対して着脱可能に連結するための横抱上部連結手段と、上記保持部材の下端部を、上記１対の肩ベルトのいずれか一方に対して着脱可能に連結するための横抱下部連結手段とを含む。この構成により、赤ちゃんを横抱きにして保持することが可能になり、新生児や、首、腰の座らない時期の乳児を寝かした状態で保持することが可能になる。
【００２２】
また、上記構成においてさらに好ましくは、上記横抱上部連結手段の内面側には、クッション部材が設けられる。この構成により、横抱上部連結手段の内面側が赤ちゃんに当接する場合においても、赤ちゃんへの不快感を防止することが可能になる。
【００２３】
また、上記構成においてさらに好ましくは、上記保持部材は、赤ちゃんの頭部、上半身部および下半身部に接し、内部に芯材が設けられる赤ちゃん用パッド部材と、上記赤ちゃん用パッド部材の外側に設けられ、赤ちゃんの頭部領域から下半身部領域にかけて配置されるとともに、その下端部に上記横抱下部連結手段が設けられる帯状支持部材とを備える。この構成により、赤ちゃんが接する部分においては、赤ちゃん用パッド部材が設けられていることから、赤ちゃんに対して、快適な空間を提供することが可能になる。また、帯状支持部材を設けることにより、赤ちゃんを背面側から全体的にサポートすることが可能になるため、赤ちゃんのサポート時における安定性を向上させることが可能になる。
【００２４】
また、上記構成においてさらに好ましくは、上記上半身部に位置する上記赤ちゃん用パッド部材と上記帯状支持部材との間には、使用者の手を挿入するための空間が設けられる。この空間に使用者の手を挿入することにより、使用者の手によるサポートが安定し、赤ちゃんのサポート時における安定性をさらに向上させることが可能になる。
【００２５】
また、上記構成においてさらに好ましくは、上記保持部材の背面側には、上記帯状支持部材を収納するための帯状支持部材収納領域が設けられる。これにより、帯状支持部材の不使用時には帯状支持部材収納領域に帯状支持部材を収納することが可能になるため、外観上の意匠の向上を図ることが可能になる。
【００２６】
また、上記構成においてさらに好ましくは、上記使用者装着部材は、使用者の腰に装着される腰ベルトをさらに備え、上記肩ベルトは左右１対となるように設けられ、上記赤ちゃん保持部は、赤ちゃんの頭部、上半身部および下半身部を保持する保持部材を有し、上記第２連結手段は、赤ちゃんの頭部領域に位置する上記保持部材の左右の上端部近傍を、上記１対の肩ベルトのそれぞれに対して着脱可能に連結するための前面縦抱上部連結手段と、赤ちゃんの脇部領域に位置する上記保持部材の左右の中間領域を、上記１対の肩ベルトのそれぞれに対して着脱可能に連結するための前面縦抱中間部連結手段と、赤ちゃんの股部に位置する上記保持部材の下端部を、上記腰ベルトに対して着脱可能に連結するための前面縦抱下端部連結手段とを含む。この構成により、赤ちゃんを使用者の前面において縦抱きにして保持することが可能になる。また、前面縦抱上部連結手段を備えることから、赤ちゃんの頭部の側面部にこの前面縦抱上部連結手段が位置することとなり、赤ちゃんの頭部の横振れを防止して、赤ちゃんの頭部および頚椎領域を保護することが可能になる。
【００２７】
また、上記構成においてさらに好ましくは、上記前面縦抱上部連結手段の内面側には、クッション部材が設けられる。また、上記発明においてさらに好ましくは、上記前面縦抱中間部連結手段の内面側には、クッション部材が設けられる。この構成により、前面縦抱上部連結手段の内面側および前面縦抱中間部連結手段の内面側が赤ちゃんに当接する場合においても、赤ちゃんへの不快感を防止することが可能になる。
【００２８】
また、上記構成においてさらに好ましくは、上記保持部材の背面側には、上記前面縦抱上部連結手段を収納するための、前面縦抱上部連結手段収納領域が設けられる。また、上記発明においてさらに好ましくは、上記保持部材の背面側には、上記前面縦抱中間部連結手段を収納するための、前面縦抱中間部連結手段収納領域が設けられる。これにより、前面縦抱上部連結手段または前面縦抱中間部連結手段の不使用時にはそれぞれの収納領域に前面縦抱上部連結手段または前面縦抱中間部連結手段を収納することが可能になるため、外観上の意匠の向上を図ることが可能になる。
【００２９】
また、上記構成においてさらに好ましくは、上記使用者装着部材は、上記肩ベルトは左右１対となるように設けられ、上記赤ちゃん保持部は、赤ちゃんの頭部、上半身部および下半身部を保持する保持部材を有し、上記第３連結手段は、赤ちゃんの頭部領域に位置する上記保持部材の左右の上端部近傍を、上記１対の肩ベルトのそれぞれに対して着脱可能に連結するための背面縦抱上部連結手段と、赤ちゃんの脇部領域に位置する上記保持部材の左右の中間領域を、上記１対の肩ベルトのそれぞれに対して着脱可能に連結するための背面縦抱中間部連結手段と、赤ちゃんの股部に位置する上記保持部材の下端部を、上記保持部材の背面側に対して着脱可能に連結するための背面縦抱下端部連結手段とを含む。この構成により、赤ちゃんを使用者の背面において縦抱きにして保持することが可能になる。また、背面縦抱上部連結手段を備えることから、赤ちゃんの頭部の側面部にこの背面縦抱上部連結手段が位置することとなり、赤ちゃんの頭部の横振れを防止して、赤ちゃんの頭部および頚椎領域を保護することが可能になる。
【００３０】
また、上記構成においてさらに好ましくは、上記背面縦抱上部連結手段の内面側には、クッション部材が設けられる。また、上記構成においてさらに好ましくは、上記背面縦抱中間部連結手段の内面側には、クッション部材が設けられる。この構成により、背面縦抱上部連結手段の内面側および背面縦抱中間部連結手段の内面側が赤ちゃんに当接する場合においても、赤ちゃんへの不快感を防止することが可能になる。
【００３１】
また、上記構成においてさらに好ましくは、上記保持部材の背面側には、上記背面縦抱上部連結手段を収納するための、背面縦抱上部連結手段収納領域が設けられる。また、上記発明においてさらに好ましくは、上記保持部材の背面側には、上記背面縦抱中間部連結手段を収納するための、背面縦抱中間部連結手段収納領域が設けられる。これにより、背面縦抱上部連結手段または背面縦抱中間部連結手段の不使用時にはそれぞれの収納領域に背面縦抱上部連結手段または背面縦抱中間部連結手段を収納することが可能になるため、外観上の意匠の向上を図ることが可能になる。
【００３２】
また、上記構成において好ましくは、上記保持部材は、赤ちゃんの頭部、上半身部および下半身部に接し、内部に芯材が設けられる赤ちゃん用パッド部材を含む。この構成により、赤ちゃんを背面側から確実にサポートすることが可能になり、赤ちゃんの保持状態を安定させることが可能になる。
【００３３】
また、上記構成においてさらに好ましくは、上記上半身部に位置する上記赤ちゃん用パッド部材の外側には、帯状部材が設けられ、上記赤ちゃん用パッド部材と上記帯状部材とにより、上記使用者の手を挿入するための空間が設けられる。この空間に使用者の手を挿入することにより、使用者の手によるサポートが安定し、赤ちゃんのサポート時における安定性をさらに向上させることが可能になる。
【００３４】
また、上記構成においてさらに好ましくは、上記赤ちゃん用パッド部材の、頭部領域および上半身部領域と、下半身部領域とは分離可能に設けられる。この構成により、赤ちゃんが成長し、首および腰が座った状態においては、使用者の前面または背面における縦抱状態時に上半身部領域を取外すことにより、赤ちゃんは上半身を自由に動かすことが可能になり、赤ちゃんの好奇心を満足させることが可能になる。
【００３５】
また、上記構成において好ましくは、上記赤ちゃん用パッド部材の芯材は、下半身部領域において、内側に向けて屈曲するように設けられる。これにより、特に縦抱き時において、下半身部領域の屈曲面により赤ちゃんの体重が使用者側に移動させられることになる。その結果、赤ちゃんの体重による使用者装着部材の下方への引張りが軽減され、より効果的に赤ちゃんの体重を使用者用背中パッド部材全体で受けることが可能になる。
【００３６】
また、上記構成においてさらに好ましくは、上記下半身部に位置する前記赤ちゃん用パッド部材の、赤ちゃんの股部が当接する領域には、内側に切り込まれた曲面領域が設けられる。これにより、使用者装着部材に赤ちゃん保持部材を装着したままにおいても、赤ちゃんを前向き、後向きのいずれの状態で保持した場合にも、赤ちゃんの股部に余裕が生まれ、赤ちゃんに不快感を与えることがない。
【００３７】
また、上記構成においてさらに好ましくは、上記下半身部に位置する上記赤ちゃん用パッド部材の、赤ちゃんの股部が当接する領域には、補助パッド部材がさらに設けられる。このように補助パッド部材を設けることにより、赤ちゃんの股部へのパッド部材の当接が和らげられ、赤ちゃんに与える不快感を解消することが可能になる。また、赤ちゃんを前向き状態、後向き状態で載せた場合でも、赤ちゃんの股部に不快感を与えることがない。
【００３８】
また、上記構成においてさらに好ましくは、上記保持部材の最下端部の左右の位置には、上記保持部材の左右の中間領域にそれぞれ連結するための、最下端部連結手段が設けられる。これにより、保持部材の下端部領域において、赤ちゃんの下腹部領域を保護することが可能になる。また、最下端部連結手段に長さ調節機能を有する構成を採用することにより、赤ちゃんの股ぐり寸法に応じた収容空間を形成することが可能になり、赤ちゃんを最適な状態で、保持することが可能になる。
【００３９】
好ましい子守部材においては、使用者が赤ちゃんを抱っこするために用いる子守部材であって、使用者の肩部に装着されるため、腕を通すための環状領域が設けられる使用者装着部材と、上記使用者装着部材に対して着脱可能に設けられ、上記使用者装着部材とともに赤ちゃんを保持するための赤ちゃん保持部材とを備え、上記使用者装着部材と上記赤ちゃん保持部材との間には、使用者の前面において、上記赤ちゃん保持部材により、赤ちゃんを寝かせた状態で抱っこするための横抱き状態を可能にするための第１連結手段と、使用者の前面において、上記赤ちゃん保持部材により、赤ちゃんを起こした状態で抱っこするための前面縦抱き状態を可能にするための第２連結手段と、使用者の背面おいて、上記赤ちゃん保持部材により、赤ちゃんを起こした状態で抱っこするための背面縦抱き状態を可能にするための第３連結手段とが設けられる。
【００４０】
上記構成を採用することにより、子守部材の使用に際して、横抱き状態、前面縦抱き状態および背面縦抱き状態での使用が可能となるため、子守部材の使用に際して、新生児期からの使用が可能になる。
【００４１】
また、上記構成において好ましくは、当該子守部材は、少なくとも前身ごろと後身ごろとを有する衣服形態を備える。これにより、子守部材のファッション性の向上が図られ、子守部材の装着時における違和感を軽減することが可能になる。
【発明を実施するための最良の形態】
【００４２】
以下、この発明に基づいた実施の形態における子守帯１について、図を参照しながら説明する。
【００４３】
（子守帯１の特徴的構成）
まず、本実施の形態における子守帯１の特徴的構成としては、図１に示すように、赤ちゃん保持部材１００とリュック形式の使用者装着部材２００とを備え、使用者であるお母さん１０００の前面において、赤ちゃん２０００を横抱きすることができる状態と、図２に示すように、お母さん１０００の前面において、赤ちゃん２０００を縦抱きすることができる状態（対面状態）と、図３に示すように、お母さん１０００の前面において、赤ちゃん保持部材１００の上半身領域を取外し、赤ちゃん２０００を前向きの縦抱きにすることができる状態と、図４に示すように、お母さん１０００の背面において、赤ちゃん２０００を縦抱きすることができる状態（赤ちゃん２０００は前向き）と、図５に示すように、お母さん１０００の背面において、赤ちゃん保持部材１００の上半身領域を取外し、赤ちゃん２０００を後向きの縦抱きにすることができる状態と、が選択可能に設けられていることを特徴としている。
【００４４】
ここで、図１に示す状態においては、赤ちゃん保持部材１００と使用者装着部材２００との間には、お母さん１０００の前面において、赤ちゃん保持部材１００により、赤ちゃん２０００を寝かせた状態で抱っこするための横抱き状態を可能にするための第１連結手段が設けられており、図２および図３に示す状態においては、お母さん１０００の前面において、赤ちゃん保持部材１００により、赤ちゃん２０００を起こした状態で抱っこするための前面縦抱き状態を可能にするための第２連結手段が設けられており、図４および図５に示す状態においては、お母さん１０００の背面おいて、赤ちゃん保持部材１００により、赤ちゃん２０００を起こした状態で抱っこするための背面縦抱き状態を可能にするための第３連結手段が設けられている。
【００４５】
以下、図を参照しながら、まず赤ちゃん保持部材１００および使用者装着部材２００の構造について説明する。
【００４６】
（赤ちゃん保持部材１００の構造）
図６から図９を参照して、赤ちゃん保持部材１００の構造について説明する。なお、図６は、赤ちゃん保持部材１００を内面側から見た平面図であり、図７は、赤ちゃん保持部材１００を外面側から見た背面図であり、図８は、図６中ＶＩＩＩ−ＶＩＩＩ線矢視にしたがった第１断面図であり、図９は、図６中ＶＩＩＩ−ＶＩＩＩ線矢視にしたがった第２断面図である。
【００４７】
本実施の形態における赤ちゃん保持部材１００は、背面保持部材１０１、股間部保持部材１１０、腹部保持部材１１３、および背中部保持部材１１８を備え、全体として縦長の帯状の形態を呈している。
【００４８】
図６を参照して、背面保持部材１０１の両側には、側部保持部材１０２，１０３が設けられ、この側部保持部材１０２，１０３の外側にはそれぞれ、耳状部材１１９Ａ，１１９Ｂが設けられている。側部保持部材１０２，１０３のそれぞれの上端部分には、延長部１０４，１０５が設けられ、この延長部１０４，１０５には、上方に延びるようにベルト部材１０６，１０７が設けられている。ベルト部材１０６，１０７の先端部分には、ベルト部材１０６，１０７の長さ調節が可能な、オス型バックル１０８，１０９が連結されている。
【００４９】
なお、背面保持部材１０１、側部保持部材１０２，１０３、耳状部材１１９Ａ，１１９Ｂ、および延長部１０４，１０５の内面部分には、赤ちゃん２０００が接する領域であるため、通気性のあるクッション部材が設けられている。
【００５０】
図７を参照して、背面保持部材１０１の外面部には、袋状部材１０１ａが設けられ、側部保持部材１０２，１０３の外面部にも、袋状部材１０２ａ，１０３ａが設けられている。各袋状部材１０１ａ，１０２ａ，１０３ａの上部は、開放状態となるように取付けられ、袋状部材１０１ａ，１０２ａ，１０３ａの上端部には、ギャザアＧが設けられている。
【００５１】
背面保持部材１０１と袋状部材１０１ａとの間によって形成される空間１０１Ａには、後述する帯状支持部材１２８が収納可能とされ、側部保持部材１０２と袋状部材１０２ａとの間によって形成される空間１０２Ａには、延長部１０４、ベルト部材１０６、およびオス型バックル１０８が収納可能とされ、側部保持部材１０３と袋状部材１０３ａとの間によって形成される空間１０３Ａには、延長部１０５、ベルト部材１０７、およびオス型バックル１０９が収納可能とされる。
【００５２】
また、耳状部材１１９Ａ，１１９Ｂの外面部には、リング状部材１３１，１３２がそれぞれ設けられている。
【００５３】
再び、図６を参照して、股間部保持部材１１０は、赤ちゃん２０００の股部の形状に沿うように両側が、内側に切り込まれた曲面領域１１１ａ，１１１ｂが形成され、この曲面領域１１１ａ，１１１ｂを埋めるように、補助パッド部材１１１，１１２が設けられている。なお、股間部保持部材１１０の内面部分は、赤ちゃん２０００が接する領域であるため、通気性のあるクッション部材が設けられている。
【００５４】
また、補助パッド部材１１１，１１２は、赤ちゃん２０００の股部へのパッド部材の当接を和らげるとともに、前向きおよび後向きのどちらの状態でも（図２および図３に示す状態）、赤ちゃん２０００の股部に与える不快感を解消することを目的としていることから、股間部保持部材１１０の内面部分に設けられるクッション部材よりも柔らかいクッション部材が設けられていることが好ましく、また、縫い目を、赤ちゃん２０００の股部には当接しない位置に配置することが好ましい。
【００５５】
また、図７を参照して、股間部保持部材１１０の外面部には、股間部保持部材１１０との間に通過領域を形成するようにループ１３４が取付けられている。
【００５６】
再び、図６を参照して、腹部保持部材１１３の先端部分には、横方向に延びる貫通路１１４が設けられ、この貫通路１１４の内部には、ベルト１１５が配置され、このベルト１１５の両側の先端部分には、ベルト１１５の長さ調節が可能なフック部材１１６，１１７が設けられている。なお、腹部保持部材１１３の内面部分は、赤ちゃん２０００が接する領域であるため、通気性のあるクッション部材が設けられている。
【００５７】
また、図７を参照して、股間部保持部材１１０と腹部保持部材１１３との境界領域の外面部には、ファスナレール１３３が設けられ、このファスナレール１３３には、ファスナ１３３Ａが設けられこのファスナ１３３Ａには、係合ボタン１３３Ｂが設けられている。
【００５８】
図６および図８を参照して、背中部保持部材１１８は芯材としての赤ちゃん用パッド部材１１８ｂ，１１８ｃを備え、上部パッド部材１１８ｂに対して、下部パッド部材１１８ｃは、内側（後述する帯状支持部材１２８が設けられる側とは反対側）に向けて屈曲するように取付けられている。赤ちゃん用パッド部材１１８ｂ，１１８ｃの表面は、通気性のあるクッション部材で覆われている。
【００５９】
赤ちゃん用パッド部材１１８ｂ，１１８ｃは、背面保持部材１０１と袋状部材１０１ａとの間に設けられた空間１０１Ａ内に、下部パッド部材１１８ｃが収容可能に設けられ、背面保持部材１０１と下部パッド部材１１８ｃとの間には、面ファスナ１３５，１３６が設けられることにより、背面保持部材１０１と下部パッド部材１１８ｃとの着脱が可能に設けられている。
【００６０】
背中部保持部材１１８の外側には、図７に示すように、背中部保持部材１１８の上端部から股間部保持部材１１０にかけて帯状支持部材１２８が設けられている。帯状支持部材１２８は、その上端部のみが背中部保持部材１１８に固定されている。また、図８に示すように、赤ちゃん用パッド部材１１８ｂの外側に位置する領域においては、使用者であるお母さん１０００の手を挿入することができるように、空間１２８ａが形成されるように、帯状支持部材１２８が背中部保持部材１１８に取付けられている。
【００６１】
帯状支持部材１２８の下方先端部分には、ベルト１２９が取り付けられ、このベルト１２９の先端部分には、ベルト１２９の長さ調節が可能なフック部材１３０Ｂが設けられている。
【００６２】
また、この帯状支持部材１２８の不使用時には、図９に示すように、背面保持部材１０１と袋状部材１０１ａとの間に設けられた空間１０１Ａ内に収容可能に形成されている。
【００６３】
背中部保持部材１１８の上端部には、赤ちゃん２０００の頭部領域を保護するための扇状の頭部保護パッド１２７が設けられ、柔軟なクッション部材から構成されている。また、頭部保護パッド１２７は、図８に示すように、内側に向く位置と、図９に示すように、外側に向く位置とが選択可能に設けられている。
【００６４】
また、背中部保持部材１１８の上端部の左右両側には、図６および図７に示すようにヘッドサポート１２０，１２１が設けられている。ヘッドサポート１２０の先端部分には、外側に係合領域を有する係合ボタン１２６が２箇所設けられている。また、ベルト１２２が設けられ、このベルト１２２の先端部分には、ベルト１２２の長さ調節が可能なオス型バックル１２４が設けられている。ヘッドサポート１２１の先端部分には、外側に係合領域を有する係合ボタン１２６が２箇所設けられている。また、ベルト１２３が設けられ、このベルト１２３の先端部分には、ベルト１２３の長さ調節が可能なオス型バックル１２５が設けられている。
【００６５】
図７を参照して、ヘッドサポート１２０の外面には、ヘッドサポート１２０とともに空間１２０Ａを形成する袋状部材１２０Ｂが取付けられ、袋状部材１２０Ｂの開口端部にはギャザアＧが設けられている。ベルト１２２の不使用時には、ベルト１２２はこの空間１２０Ａ内に収納される。ヘッドサポート１２１の外面には、ヘッドサポート１２１とともに空間１２１Ａを形成する袋状部材１２１Ｂが取付けられ、袋状部材１２１Ｂの開口端部にはギャザアＧが設けられている。ベルト１２３の不使用時には、ベルト１２３はこの空間１２１Ａ内に収納される。
【００６６】
（使用者装着部材２００の構造）
次に、図１０から図１５を参照して、使用者装着部材２００の構造について説明する。なお、図１０は、使用者装着部材２００を開いた状態での正面図であり、図１１は、使用者装着部材２００を開いた状態での背面図であり、図１２は、使用者装着部材２００を閉じた状態での正面図であり、図１３および図１４は、図１１中のＸＩＩＩ−ＸＩＩＩ線矢視における第１および第２断面図であり、図１５は、図１１中ＸＶ−ＸＶ線矢視における断面図である。
【００６７】
図１０から図１２を参照して、この使用者装着部材２００は、使用者であるお母さん１０００に装着されることを目的としており、使用者用背中パッド部材２０１と、この使用者用背中パッド部材２０１の上端部から上方に延びるように設けられる１対の肩ベルト２１０，２１１とを備える。さらに、本実施の形態においては、使用者装着部材２００の下端部領域に、お母さん１０００の腰に装着される腰ベルト３００が設けられている。
【００６８】
図１３の断面図に示すように、使用者用背中パッド部材２０１は、芯材２０１ａと、この芯材２０１ａを覆うように通気性を有するクッション部材２０１ｂが設けられている。再び、図１０から図１２を参照して、使用者用背中パッド部材２０１の上端部からは、１対の肩ベルト２１０，２１１が設けられている。肩ベルト２１０の上方には、内側に係合領域を有する２個の係合ボタン２１０ｂと、２個の係合ボタン２１０ｃが設けられている。同様に、肩ベルト２１１の上方には、内側に係合領域を有する２個の係合ボタン２１１ｂと、２個の係合ボタン２１１ｃが設けられている。
【００６９】
肩ベルト２１０の外面の中央領域には、補強ベルト２１０Ａが取付けられている。この補強ベルト２１０Ａの中央領域には、補強ベルト２１０Ａが延びる方向に沿ってスライド可能なように、メス型バックル２１４が取付けられている。また、このメス型バックル２１４の下方の補強ベルト２１０Ａには、ループ２１８が設けられている。補強ベルト２１０Ａの下端部には、後述する腰ベルトに設けられる補強ベルト３０３の長さ調節を行なうために、長さ調節用リング２１６が取付けられている。
【００７０】
肩ベルト２１１の外面の中央領域には、肩ベルト２１０と同様に、補強ベルト２１１Ａが取付けられている。この補強ベルト２１１Ａの中央領域には、補強ベルト２１１Ａが延びる方向に沿ってスライド可能なように、メス型バックル２１５が取付けられている。また、このメス型バックル２１５の下方の補強ベルト２１１Ａには、ループ２１９が設けられている。補強ベルト２１１Ａの下端部には、後述する腰ベルトに設けられる補強ベルト３０４の長さ調節を行なうために、長さ調節用リング２１７が取付けられている。
【００７１】
また、使用者用背中パッド部材２０１の内面の、お母さん１０００の肩部に当接するの背中領域には、パッド部材２０２，２０３が設けられている。
【００７２】
使用者用背中パッド部材２０１の外面には、図１１に示すように、肩ベルト２１０，２１１の近傍に、縦方向に通過領域を形成するループ２１２，２１３が設けられ、中間領域の外側に、横方向に通過領域を形成するループ２２０，２２１が設けられている。
【００７３】
使用者用背中パッド部材２０１の下方領域には、横方向に延びるように腰ベルト３００が設けられている。この腰ベルト３００は、中央領域３０１、側部領域３０２Ａ，３０２Ｂを備え、全体として横長の帯形状を呈し、表面は通気を有するクッション部材から構成されている。
【００７４】
中央領域３０１には、図１３の断面図に示すように、使用者用背中パッド部材２０１の下端部収容し、使用者用背中パッド部材２０１が上下方向に摺動可能にガイドするための案内領域を形成するための袋状ガイド部材３１０が設けられている。また、中央領域３０１は、使用者用背中パッド部材２０１からの力を十分受けることができるように、芯材３０１ａと、この芯材３０１ａを覆うように設けられる通気性の有るクッション部材３０１ｂとを有している。
【００７５】
また、使用者用背中パッド部材２０１と中央領域３０１との間には、使用者用背中パッド部材２０１の中央領域３０１からの外れを防止するために、両者を連結するための連結部材３０９が設けられている。その結果、図１３に示す状態は、使用者用背中パッド部材２０１が中央領域３０１に最も近接している位置を示し、図１４は、使用者用背中パッド部材２０１が中央領域３０１から最も離れた状態を示している。
【００７６】
なお、芯材３０１ａについては、必ず必要な部材ではなく、力の分散が使用者用背中パッド部材２０１で十分であると考えられる場合は、設ける必要はない。
【００７７】
図１１および図１３を参照して、使用者用背中パッド部材２０１の外面側において、袋状ガイド部材３１０の上部近傍領域には、横方向に延びるファスナレール２１９が設けられている。また、このファスナレール２１９を上方から覆うようにファスナカバー２１８が設けられ、このファスナカバー２１８の外面には、外側に係合領域を有する係合ボタン２１８ａが設けられている。
【００７８】
図１１を参照して、腰ベルト３００の側部領域３０２Ａの外面には、補強ベルト３０３が取付けられている。この補強ベルト３０３の一端は、長さ調節用リング２１６に係合している。また、補強ベルト３０３の他端側は、お母さん１０００の腹部を取り巻くために長く設けられ、先端部分に長さ調節可能な、オス型バックル３０５が取付けられている。
【００７９】
また、補強ベルト３０３には、補強パッド４００Ａが設けられている。図１１および図１５を参照して、この補強パッド４００Ａは、芯材４０２と、この芯材４０２を覆うクッション部材４０３と、補強ベルト３０３を通過させるための空間４００ａを形成するためのループ部材４０４とを備える。さらに、ループ部材４０４の上端部には、ファスナレール４０１が設けられ、このファスナレール４０１を上方から覆うようにファスナカバー４００が設けられ、このファスナカバー４００の外面には、外側に係合領域を有する係合ボタン４０５が設けられている。
【００８０】
なお、上記実施の形態において連結部材を収納するための収納空間を設け、この収納空間に所定部材を収納可能にする理由は、上記図１から図５に示す使用状態においては、使用する部材と使用しない部材とが存在し、使用しない部材については、収納空間に部材を収納することにより意匠上の外観を向上させるため、また、あらかじめ使用しない部材を収納しておくことで、誤使用を防ぐためである。なお、本実施の形態においては、収納空間をあらかじめ設けるようにしたが、各部材を着脱可能な構成にして、使用時のみ装着し、不使用時には取外す構成を採用することも可能である。
【００８１】
（赤ちゃん保持部材１００と使用者装着部材２００との結合関係）
次に、再び図１から図５を参照して、各使用形態における赤ちゃん保持部材１００と使用者装着部材２００との結合関係について説明する。
【００８２】
上述したように、本実施の形態における子守帯１の特徴的構成としては、赤ちゃん保持部材１００と使用者装着部材２００との結合関係を選択することにより、図１に示す、使用者であるお母さん１０００の前面において、赤ちゃん２０００を横抱きすることができる状態と、図２に示す、お母さん１０００の前面において、赤ちゃん２０００を縦抱きすることができる状態（対面状態）と、図３に示す、お母さん１０００の前面において、赤ちゃん保持部材１００の上半身領域を取外し、赤ちゃん２０００を前向きの縦抱きにすることができる状態と、図４に示す、お母さん１０００の背面において、赤ちゃん２０００を縦抱きすることができる状態（赤ちゃんは前向き）と、図５に示す、お母さん１０００の背面において、赤ちゃん保持部材１００の上半身領域を取外し、赤ちゃん２０００を後向きの縦抱きにすることができる状態とを選択することができる点にある。
【００８３】
（横抱き連結状態）
まず、図１を参照して、赤ちゃん保持部材１００により、赤ちゃんを寝かせた状態で抱っこするための横抱き状態を可能にするための第１連結手段について説明する。
【００８４】
横抱き状態を可能にするためには、使用者装着部材２００の肩ベルト２１０に設けられたメス型バックル２１４に、赤ちゃん保持部材１００のヘッドサポート１２０から延びるベルト１２２に設けられたオス型バックル１２４を連結させる。
【００８５】
また、使用者装着部材２００の肩ベルト２１１に設けられたメス型バックル２１５に、赤ちゃん保持部材１００のヘッドサポート１２１から延びるベルト１２３に設けられたオス型バックル１２５を連結させる。
【００８６】
さらに、赤ちゃん保持部材１００に設けられた帯状支持部材１２８を赤ちゃん２０００の股部を通過させるとともに、帯状支持部材１２８の先端部に設けられたベルト１２９をループ１３４を通して、ベルト１２９の先端に設けられたフック部材１３０Ｂを、肩ベルト２１０に設けられたループ２１８に係合させる。
【００８７】
なお、メス型バックル２１４とオス型バックル１２４、およびメス型バックル２１５とオス型バックル１２５により、横抱上部連結手段を構成し、フック部材１３０Ｂとループ２１８とにより、横抱下部連結手段を構成する。
【００８８】
また、赤ちゃん２０００の下腹部を保護するために、腹部保持部材１１３に設けられたベルト１１５に取付けられたフック部材１１７を、耳状部材１１９Ｂに設けられたリング状部材１３２に係合させる。図示していないが、ベルト１１５の反対側に設けられたフック部材１１６についても、同様に耳状部材１１９Ａに設けられたリング状部材１３１に係合させる。ここで、上述したようにフック部材１１６，１１７にベルト１１５の長さを調節できるようにしておくことで、赤ちゃん２０００の股ぐり寸法に適用した腹部保持部材１１３の位置決めを行なうことが可能になり、赤ちゃんの下腹部を適切に保護することが可能になる。
【００８９】
なお、図１に示す状態は、赤ちゃん２０００の頭がお母さん１０００の左腕側に位置する場合を示しているが、赤ちゃん２０００の頭がお母さん１０００の右腕側に位置する場合にも、同様の結合状態を採用することにより実現することが可能である。
【００９０】
また、この横抱き状態においては、赤ちゃん２０００の頭部側を２点で支持し、また、頭部側から股部を通過する帯状支持部材１２８により、赤ちゃん２０００の背面部を全体的に覆うようにして支持する、３点支持構造を採用していることから、赤ちゃん２０００の横抱き状態を安定させることが可能になる。
【００９１】
また、赤ちゃん保持部材１００に設けられた延長部１０４，１０５、ベルト部材１０６，１０７、およびオス型バックル１０８，１０９は、この使用形態では用いることがないため、空間１０２Ａ、１０３Ａに収納しておくことで、誤使用を防ぐとともに、意匠上の観点からもすっきりした印象を与えることができる。
【００９２】
（前面縦抱き連結状態）
次に、図２を参照して、赤ちゃん保持部材１００により、赤ちゃん２０００をお母さん１０００の前面において縦抱き状態を可能にするための第２連結手段について説明する。
【００９３】
前面縦抱き状態を可能にするためには、使用者装着部材２００の肩ベルト２１０に設けられた２個の係合ボタン２１０ｂに、赤ちゃん保持部材１００のヘッドサポート１２１に設けられた２個の係合ボタン１２６を嵌め合わせる。このとき、赤ちゃん保持部材１００のヘッドサポート１２１から延びるベルト１２１は使用しないため、あらかじめ空間１２１Ａに収納しておく。
【００９４】
また、使用者装着部材２００の肩ベルト２１０に設けられたメス型バックル２１４に、赤ちゃん保持部材１００の延長部１０５から延びるベルト部材１０７の先端に設けられるオス型バックル１０９を連結させる。
【００９５】
また、使用者装着部材２００の肩ベルト２１１に設けられた２個の係合ボタン２１１ｂに、赤ちゃん保持部材１００のヘッドサポート１２０に設けられた２個の係合ボタン１２６を嵌め合わせる。このとき、赤ちゃん保持部材１００のヘッドサポート１２０から延びるベルト１２２は使用しないため、あらかじめ空間１２０Ａに収納しておく。
【００９６】
また、図示していないが、使用者装着部材２００の肩ベルト２１１に設けられたメス型バックル２１５に、赤ちゃん保持部材１００の延長部１０４から延びるベルト部材１０６の先端に設けられるオス型バックル１０８を連結させる。
【００９７】
さらに、図示していないが、赤ちゃん保持部材１００に設けられたファスナレール１３３と、使用者装着部材２００の補強パッド４００Ａに設けられたファスナレール４０１とをファスナ１３３Ａを用いて結合させる。なお、ファスナ１３３Ａの移動を防止するために、ファスナ１３３Ａに設けられた係合ボタン１３３Ｂと、ファスナカバー４００に設けられた係合ボタン４０５ａとを嵌め合わせる。
【００９８】
なお、肩ベルト２１０側における２個の係合ボタン２１０ｂと２個の係合ボタン１２６、および、肩ベルト２１１側における２個の係合ボタン２１１ｂと２個の係合ボタン１２６により前面縦抱上部連結手段を構成し、肩ベルト２１０側におけるメス型バックル２１４とオス型バックル１０９、および肩ベルト２１１側におけるメス型バックル２１５とオス型バックル１０８により、前面縦抱中間部連結手段を構成し、ファスナレール１３３、ファスナレール４０１およびファスナ１３３Ａにより、前面縦抱下端部連結手段を構成する。
【００９９】
また、赤ちゃん２０００の下腹部を保護するために、腹部保持部材１１３に設けられたベルト１１５に取付けられたフック部材１１７を、耳状部材１１９Ｂに設けられたリング状部材１３２に係合させる。図示していないが、ベルト１１５の反対側に設けられたフック部材１１６についても、同様に耳状部材１１９Ａに設けられたリング状部材１３１に係合させる。
【０１００】
この縦抱き状態においては、赤ちゃん２０００の頭部側を２点で支持し、赤ちゃん２０００の腹部側面を２点で支持し、さらに赤ちゃん２０００の股部を１点で支持する５点支持構造を採用していることから、赤ちゃん２０００の縦抱き状態を安定させることが可能になる。また、赤ちゃん２０００の頭部側面に、ヘッドサポート１２０，１２１が配設されることから、赤ちゃん２０００の頭部の振れを防止し、赤ちゃん２０００の頭部および頚椎領域の保護を図ることが可能になる。
【０１０１】
また、赤ちゃん保持部材１００の背中部保持部材１１８の背面側には、帯状支持部材１２８により空間１２８ａが形成されていることから、お母さん１０００の手１００１をこの空間１２８ａに挿入して沿えることができるため、さらに安定した状態で、赤ちゃん２０００を保持することが可能となる。
【０１０２】
なお、赤ちゃん２００が成長して首および腰が座り、赤ちゃん２０００を自立させておくことに対して医学的な問題が生じない場合は、図３に示すように、背中部保持部材１１８を赤ちゃん保持部材１００から取外すことにより、赤ちゃん２０００を前向きにして縦抱っこをすることが可能になる。
【０１０３】
また、赤ちゃん保持部材１００に設けられたベルト部材１２１，１２２、オス型バックル１２４，１２５、および帯状支持部材１２８は、この使用形態では用いることがないため、空間１２０Ａ、１２１Ａ、１０１Ａにそれぞれ収納しておくことで、誤使用を防ぐとともに、意匠上の観点からもすっきりした印象を与えることができる。
【０１０４】
（背面縦抱き連結状態）
次に、図４を参照して、赤ちゃん保持部材１００により、赤ちゃん２０００をお母さん１０００の背面において縦抱き状態を可能にするための第３連結手段について説明する。
【０１０５】
背面縦抱き状態を可能にするためには、使用者装着部材２００の肩ベルト２１１に設けられた２個の係合ボタン２１１ｃに、赤ちゃん保持部材１００のヘッドサポート１２１に設けられた２個の係合ボタン１２６を嵌め合わせる。このとき、赤ちゃん保持部材１００のヘッドサポート１２１から延びるベルト１２１は使用しないため、あらかじめ空間１２１Ａに収納しておく。
【０１０６】
また、使用者装着部材２００の肩ベルト２１１に設けられたメス型バックル２１５に、赤ちゃん保持部材１００の延長部１０５から延びるベルト部材１０７の先端に設けられるオス型バックル１０９を連結させる。なお、ベルト部材１０７のずれを防止するために、ループ２１３にベルト部材１０７を通過させる。
【０１０７】
また、使用者装着部材２００の肩ベルト２１０に設けられた２個の係合ボタン２１０ｃに、赤ちゃん保持部材１００のヘッドサポート１２０に設けられた２個の係合ボタン１２６を嵌め合わせる。このとき、赤ちゃん保持部材１００のヘッドサポート１２０から延びるベルト１２２は使用しないため、あらかじめ空間１２０Ａに収納しておく。なお、ベルト部材１０６のずれを防止するために、ループ２１２にベルト部材１０７を通過させる。
【０１０８】
また、使用者装着部材２００の肩ベルト２１０に設けられたメス型バックル２１４に、赤ちゃん保持部材１００の延長部１０４から延びるベルト部材１０６の先端に設けられるオス型バックル１０８を連結させる。
【０１０９】
さらに、図示していないが、赤ちゃん保持部材１００に設けられたファスナレール１３３と、使用者装着部材２００の使用者用背中パッド部材２０１に設けられたファスナレール２１９とをファスナ１３３Ａを用いて結合させる。なお、ファスナ１３３Ａの移動を防止するために、ファスナ１３３Ａに設けられた係合ボタン１３３Ｂと、ファスナカバー２１８に設けられた係合ボタン２１８ａとを嵌め合わせる。
【０１１０】
なお、肩ベルト２１１側における２個の係合ボタン２１１ｃと２個の係合ボタン１２６、および肩ベルト２１０側における２個の係合ボタン２１０ｃと２個の係合ボタン１２６とにより、背面縦抱上部連結手段を構成し、肩ベルト２１１側におけるメス型バックル２１５とオス型バックル１０９、および肩ベルト２１０側におけるメス型バックル２１４とオス型バックル１０８により、背面縦抱中間部連結手段を構成し、ファスナレール１３３、ファスナレール２１９、およびファスナ１３３Ａにより背面縦抱下端部連結手段を構成する。
【０１１１】
また、赤ちゃん２０００の下腹部を保護するために、腹部保持部材１１３に設けられたベルト１１５に取付けられたフック部材１１７を、耳状部材１１９Ａに設けられたリング状部材１３２に係合させる。図示していないが、ベルト１１５の反対側に設けられたフック部材１１６についても、同様に耳状部材１１９Ｂに設けられたリング状部材１３１に係合させる。なお、赤ちゃん２０００の下腹部の移動を防止するために、使用者装着部材２００に設けられたループ２２０，２２１にベルト１１５を通過させる。
【０１１２】
この縦抱き状態においては、赤ちゃん２０００の頭部側を２点で支持し、赤ちゃん２０００の腹部側面を２点で支持し、さらに赤ちゃん２０００の股部を１点で支持する５点支持構造を採用していることから、赤ちゃん２０００の縦抱き状態を安定させることが可能になる。また、赤ちゃん２０００の頭部側面に、ヘッドサポート１２０，１２１が配設されることから、赤ちゃん２０００の頭部の振れを防止し、赤ちゃんの頭部および頚椎領域の保護を図ることが可能になる。
【０１１３】
なお、赤ちゃん２０００が成長して首および腰が座り、赤ちゃん２０００を自立させておくことに対して医学的な問題が生じない場合は、図５に示すように、背中部保持部材１１８を赤ちゃん保持部材１００から取外すことにより、赤ちゃん２０００を後向きにして縦抱っこをすることが可能になる。
【０１１４】
また、赤ちゃん保持部材１００に設けられたベルト部材１２１，１２２、オス型バックル１２４，１２５、および帯状支持部材１２８は、この使用形態では用いることがないため、空間１２０Ａ、１２１Ａ、１０１Ａにそれぞれ収納しておくことで、誤使用を防ぐとともに、意匠上の観点からもすっきりした印象を与えることができる。
【０１１５】
以上、本実施の形態における子守帯１においては、子守帯１の使用に際して、横抱き状態、前面縦抱き状態および背面縦抱き状態での使用が可能となるため、子守帯１の使用に際して、新生児期からの使用が可能になる。
【０１１６】
なお、上記赤ちゃん保持部材１００の股間部保持部材１１０に、上述したように、曲面領域１１１ａ，１１１ｂを設けるとともに、赤ちゃん保持部材１００と使用者装着部材２００とを連結する各ベルトの長さを調節可能とすることで、上述したように、前面縦抱き状態および背面縦抱き状態において、赤ちゃん保持部材１００を使用者装着部材２００に装着した状態のままで、赤ちゃん１０００を前向きまたは後向きに保持することが可能になる。
【０１１７】
なお、上記実施の形態の他の形態として、強度上の観点から、赤ちゃん保持部材１００に設けられる、ベルト１０６，１０７を下方領域まで延長させて、股間部保持部材１１０の領域で交差させる構造が考えられる（図６参照）。しかし、股間部保持部材１１０の領域でベルト１０６，１０７を交差させた場合には、交差部が盛り上がり赤ちゃん２０００に不快感を与えるおそれがある。このような場合には、図１６に示すように、ベルト１０６，１０７を股間部保持部材１１０の曲面領域１１１ａ，１１１ｂに沿って配置することにより、強度の向上が図れるとともに、赤ちゃん２０００への不快感を解消することが可能となる。
【０１１８】
また、上記実施の形態においては、赤ちゃん２０００の抱っこ状態をより安定的に実現するために腰ベルト３００を設けるようにしたが、肩ベルトのみで十分赤ちゃん２０００の体重を支持できる場合は、必ずしも腰ベルト３００を設ける必要はない。また、肩ベルトについても、左右１対となるように設けているが、たとえば肩ベルトを１本のたすきがけのように形成することも可能である。
【０１１９】
連結部分において、オス型バックル、メス型バックルを使用しているが、両者を入換えて使用することも可能である。また、オスメス両性のバックルを使用することも可能である。
【０１２０】
また、上記実施の形態における使用者として、お母さんの場合について説明したが、その他お父さんや、他の保護者や保育者であっても構わない。また、特にお父さんにあっては、子守帯の装着を容姿から嫌がる場合もあるが、たとえば、図１７に示すように、使用者装着部材２００の機能を腕部を通す環状領域を備え、前身ごろおよび後身ごろを有する洋服に組み込む構成にすることにより、ファッション性を高めることで、お父さんには、違和感なく装着することが可能になり、父親と子供とのスキンシップを向上させることが可能になる。
【０１２１】
したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【０１２２】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【０１２３】
この発明は、特に横抱き状態で赤ちゃんを保持する子守帯および使用者装着部材に有利に利用され得る。
【図面の簡単な説明】
【０１２４】
【図１】この発明に基いた実施の形態における子守帯１を用いて、お母さん１０００の前面において、赤ちゃん２０００を横抱きすることができる状態を示す図である。
【図２】この発明に基いた実施の形態における子守帯１を用いて、お母さん１０００の前面において、赤ちゃん２０００を縦抱きすることができる状態を示す第１の図である。
【図３】この発明に基いた実施の形態における子守帯１を用いて、お母さん１０００の前面において、赤ちゃん２０００を縦抱きすることができる状態を示す第２の図である。
【図４】この発明に基いた実施の形態における子守帯１を用いて、お母さん１０００の背面において、赤ちゃん２０００を縦抱きすることができる状態を示す第１の図である。
【図５】この発明に基いた実施の形態における子守帯１を用いて、お母さん１０００の背面において、赤ちゃん２０００を縦抱きすることができる状態を示す第２の図である。
【図６】赤ちゃん保持部材１００を内面側から見た平面図である。
【図７】赤ちゃん保持部材１００を外面側から見た背面図である。
【図８】図６中ＶＩＩＩ−ＶＩＩＩ線矢視にしたがった第１断面図である。
【図９】図６中ＶＩＩＩ−ＶＩＩＩ線矢視にしたがった第２断面図である。
【図１０】使用者装着部材２００を開いた状態での正面図である。
【図１１】使用者装着部材２００を開いた状態での背面図である。
【図１２】使用者装着部材２００を閉じた状態での正面図である。
【図１３】図１１中のＸＩＩＩ−ＸＩＩＩ線矢視における第１断面図である。
【図１４】図１１中のＸＩＩＩ−ＸＩＩＩ線矢視における第２断面図である。
【図１５】図１１中ＸＶ−ＸＶ線矢視における断面図である。
【図１６】他の形態における赤ちゃん保持部材１００を内面側から見た平面図である。
【図１７】他の形態における子守帯１を用いて、お母さん１０００の前面において、赤ちゃん２０００を横抱きすることができる状態を示す図である。
【符号の説明】
【０１２５】
１  子守帯、１００  赤ちゃん保持部材、１０１  背面保持部材、１０１Ａ，１０２Ａ，１０３Ａ，１２８ａ，４００ａ  空間、１０１ａ，１０２ａ，１０３ａ  袋状部材、１０２，１０３  側部保持部材、１０４，１０５  延長部、１０６，１０７  ベルト部材、１０８，１０９，１２４，１２５，３０５  オス型バックル、１１０  股間部保持部材、１１１，１１２  補助パッド部材、１１１ａ，１１１ｂ  曲面領域、１１３  腹部保持部材、１１４  貫通路、１１５，１２２，１２３  ベルト、１１６，１１７  フック部材、１１８  背中部保持部材、１１８ｂ，１１８ｃ  赤ちゃん用パッド部材、１１９Ａ，１１９Ｂ  耳状部材、１２０，１２１  ヘッドサポート、１２０Ｂ  袋状部材、１２１Ａ  空間、１２１Ｂ  袋状部材、１２６，１３３Ｂ，２１０ｂ，２１０ｃ，２１１ｂ，２１１ｃ，２１８ａ，４０５ａ  係合ボタン、１２７  頭部保護パッド、１２８  帯状支持部材、１２９  ベルト、１３０Ｂ  フック部材、１３１，１３２  リング状部材、１３３，２１９，４０１  ファスナレール、１３３Ａ  ファスナ、１３４ループ、１３５，１３６  面ファスナ、２００  使用者装着部材、２０１  使用者用背中パッド部材、２０１ａ，３０１ａ，４０２  芯材、２０１ｂ  クッション部材、２０２，２０３  パッド部材、２１０，２１１  肩ベルト、２１０Ａ，２１１Ａ，３０３  補強ベルト、２１２，２１３，２１８，２１９，２２０，２２１  ループ、２１４，２１５  メス型バックル、２１６  長さ調節用リング、２１７  長さ調節用リング、２１８，４００  ファスナカバー、３００  腰ベルト、３０１  中央領域、３０１ｂ  クッション部材、３０２Ａ，３０２Ｂ  側部領域、３０９  連結部材、３１０  袋状ガイド部材、４００Ａ  補強パッド、４０３  クッション部材、４０４  ループ部材、１０００  お母さん、２０００赤ちゃん。
【図１】
2004181268.tif 000003
【図２】
2004181268.tif 000004
【図３】
2004181268.tif 000005
【図４】
2004181268.tif 000006
【図５】
2004181268.tif 000007
【図６】
2004181268.tif 000008
【図７】
2004181268.tif 000009
【図８】
2004181268.tif 000010
【図９】
2004181268.tif 000011
【図１０】
2004181268.tif 000012
【図１１】
2004181268.tif 000013
【図１２】
2004181268.tif 000014
【図１３】
2004181268.tif 000015
【図１４】
2004181268.tif 000016
【図１５】
2004181268.tif 000017
【図１６】
2004181268.tif 000018
【図１７】
2004181268.tif 000019